(57)【要約】【課題】温度ムラや周辺部品との温度差を抑えつつ定着ローラを迅速に加熱して、プリント指令が与えられてから実際にプリントが行われるまでの時間を短縮できる画像形成装置を提供する。【解決手段】加熱開始のためのトリガー信号が与えられた際に、低温フラグが設定されておらず、定着ローラ４１の温度（検出温度）が室温よりも高く、かつ定着温度及び待機温度よりも低い所定の基準温度を上回っている場合には、定着ローラ４１及び加圧ローラ４４を回転させずに定着ローラ４１を加熱して定着温度まで昇温する。【選択図】図３
2008129064.tif 000002
【特許請求の範囲】
【請求項１】
記録材に転写された現像剤像を加熱して定着させる定着ローラと、
前記定着ローラを加熱する加熱手段と、
前記定着ローラの周囲温度を検出する周囲温度判定手段と、
前記周囲温度判定手段の判定結果に基づいて前記加熱手段を制御する制御手段と、を備え、
前記制御手段は、所定のトリガー信号が入力されると、前記周囲温度判定手段により、前記周囲温度が室温よりも高く定着温度よりも低い所定の基準温度を上回っていると判定された場合には、前記定着ローラを回転させることなく前記加熱手段を動作させて前記定着ローラを定着温度に加熱することを特徴とする画像形成装置。
【請求項２】
請求項１に記載の画像形成装置において、
前記定着ローラの温度を検出するローラ温度検出手段をさらに備え、
前記周囲温度判定手段は、前記ローラ温度検出手段を介して前記定着ローラの温度を定期的に監視し、前記検出温度が前記基準温度以下になった場合に所定の低温フラグを設定する一方、前記定着ローラによる定着処理が行われた場合に、前記低温フラグの設定状態を初期化し、
前記制御手段は、前記トリガー信号の入力時に、前記低温フラグが設定されていない場合には、前記定着ローラを回転させることなく前記加熱手段を動作させて前記定着ローラを定着温度に加熱することを特徴とする画像形成装置。
【請求項３】
請求項１又は請求項２に記載の画像形成装置において、
前記トリガー信号は、プリント指令に先立って与えられる予備加熱のための信号であることを特徴とする画像形成装置。
【請求項４】
請求項３に記載の画像形成装置において、
当該画像形成装置はコピー機能を備え、
前記トリガー信号は、フラットベッドスキャナーの原稿載置部カバーの開放、自動原稿送りユニットへの原稿のセット、又は、コピーモード選択操作に伴って与えられることを特徴とする画像形成装置。
【請求項５】
請求項１ないし請求項４のいずれかに記載の画像形成装置において、
前記制御手段は、前記トリガー信号の入力時において、前記周囲温度判定手段により、前記周囲温度が前記基準温度以下になっていると判定された場合の制御動作として、前記定着ローラを回転させつつ前記加熱手段を動作させて前記定着ローラを定着温度に加熱する第１の制御態様と、前記定着ローラを回転させることなく前記加熱手段を動作させて前記定着ローラを定着温度に加熱する第２の制御態様とが切り替え可能となっていることを特徴とする画像形成装置。
【発明の詳細な説明】
【技術分野】
【０００１】
本発明は、記録材に転写された現像剤像を加熱して定着させる定着ローラを有する画像形成装置に関する。
【背景技術】
【０００２】
この種の画像形成装置では、プリント指令が与えられてから実際にプリントが行われるまでの時間の短縮が求められている。また、定着時に定着ローラの温度ムラや定着ローラと周辺部品（例えば、加圧ローラ等）との間に大きな温度差があると、記録材の波打ちやカールの原因になるため、定着ローラ及びその周辺部品の温度調整技術の向上が求められている。定着時における定着ローラの温度ムラの低減に関する従来技術としては、例えば特許文献１に記載のものがある。
【０００３】
また、定着ローラの迅速な加熱が容易なように、定着ローラの薄肉化（低熱容量化）や、加熱手段を定着ローラの回転軸に対して偏心配置する等の対策が進められ、これによって、定着ローラ内での温度ムラや、定着ローラと周辺部品との間の温度差（加熱時に定着ローラが周辺部品よりも急激に温度が高くなる等）がさらに生じやすくなっている。
【特許文献１】特開平１１−１０２１４０号公報
【発明の開示】
【発明が解決しようとする課題】
【０００４】
そこで、本発明の解決すべき課題は、温度ムラや周辺部品との温度差を抑えつつ定着ローラを迅速に加熱して、プリント指令が与えられてから実際にプリントが行われるまでの時間を短縮できる画像形成装置を提供することである。
【課題を解決するための手段】
【０００５】
上記の課題を解決するため、請求項１の発明では、記録材に転写された現像剤像を加熱して定着させる定着ローラと、前記定着ローラを加熱する加熱手段と、前記定着ローラの周囲温度を検出する周囲温度判定手段と、前記周囲温度判定手段の判定結果に基づいて前記加熱手段を制御する制御手段と、を備え、前記制御手段は、所定のトリガー信号が入力されると、前記周囲温度判定手段により、前記周囲温度が室温よりも高く定着温度よりも低い所定の基準温度を上回っていると判定された場合には、前記定着ローラを回転させることなく前記加熱手段を動作させて前記定着ローラを定着温度に加熱する。
【０００６】
また、請求項２の発明では、請求項１の発明に係る画像形成装置において、前記定着ローラの温度を検出するローラ温度検出手段をさらに備え、前記周囲温度判定手段は、前記ローラ温度検出手段を介して前記定着ローラの温度を定期的に監視し、前記検出温度が前記基準温度以下になった場合に所定の低温フラグを設定する一方、前記定着ローラによる定着処理が行われた場合に、前記低温フラグの設定状態を初期化し、前記制御手段は、前記トリガー信号の入力時に、前記低温フラグが設定されていない場合には、前記定着ローラを回転させることなく前記加熱手段を動作させて前記定着ローラを定着温度に加熱する。
【０００７】
また、請求項３の発明では、請求項１又は請求項２の発明に係る画像形成装置において、前記トリガー信号は、プリント指令に先立って与えられる予備加熱のための信号である。
【０００８】
また、請求項４の発明では、請求項３の発明に係る画像形成装置において、当該画像形成装置はコピー機能を備え、前記トリガー信号は、フラットベッドスキャナーの原稿載置部カバーの開放、自動原稿送りユニットへの原稿のセット、又は、コピーモード選択操作に伴って与えられる。
【０００９】
また、請求項５の発明では、請求項１ないし請求項４のいずれかの発明に係る画像形成装置において、前記制御手段は、前記トリガー信号の入力時において、前記周囲温度判定手段により、前記周囲温度が前記基準温度以下になっていると判定された場合の制御動作として、前記定着ローラを回転させつつ前記加熱手段を動作させて前記定着ローラを定着温度に加熱する第１の制御態様と、前記定着ローラを回転させることなく前記加熱手段を動作させて前記定着ローラを定着温度に加熱する第２の制御態様とが切り替え可能となっている。
【発明の効果】
【００１０】
請求項１に記載の発明によれば、定着ローラの周囲温度が所定の基準温度を上回っている場合には、定着ローラを回転させずに定着ローラを加熱しても、温度ムラを抑えつつ定着ローラを加熱できるとともに、定着ローラを回転させないため、熱の拡散等を抑えて定着ローラを迅速に加熱できる。また、この場合には、定着ローラの周辺部品も昇温されている状態であるため、定着ローラを回転させずに定着ローラを加熱しても、定着ローラと周辺部品との温度差を抑制しつつ、定着ローラを加熱できる。これによって、温度ムラや周辺部品との温度差を抑えつつ定着ローラを迅速に加熱して、プリント指令が与えられてから実際にプリントが行われるまでの時間を短縮できる。
【００１１】
また、定着ローラを回転させずに加熱を行うことにより、騒音の抑制が図れるとともに、省電力化及び部品寿命の長寿命化が図れる。
【００１２】
請求項２に記載の発明によれば、ローラ温度検出手段の検出温度が基準温度以下になった場合に所定の低温フラグが設定され、定着ローラによる定着処理が行われると、低温フラグの設定状態が初期化されるようになっているため、低温フラグが設定されていない期間というのは、定着処理に伴って定着ローラ及びその周囲の温度が基準温度以上に昇温されてから、時間経過とともに定着ローラ及びその周囲の温度が低下して基準温度以下になるまでの期間となる。そして、定着ローラの周囲は、定着ローラよりも熱容量が大きい等の理由により、定着ローラの温度低下速度よりも遅い速度で温度が低下していく傾向にあるため、この低温フラグが設定されていない期間では、定着ローラの温度が基準温度以上あれば、定着ローラの周囲の温度も基準温度以上となっている。このため、このような低温フラグを用いて定着ローラの加熱制御を行うことにより、定着ローラの周囲温度を検出する専用の温度センサを設けなくとも、ローラ温度検出手段の検出結果を用いて定着ローラの周囲温度に対応した定着ローラの加熱制御を行うことができる。
【００１３】
請求項３に記載の発明によれば、プリント指令に先立って予備加熱のためのトリガー信号が与えられると、それに応じて定着ローラに対する加熱が開始されるため、実際にプリント指令が与えられたときに直ちにプリントを実行できる。
【００１４】
請求項４に記載の発明によれば、フラットベッドスキャナーの原稿載置部カバーの開放、自動原稿送りユニットへの原稿のセット、又は、コピーモード選択操作に伴って定着ローラに対する予備加熱が開始されるため、実際にコピー実行のためのスタートボタンが操作されたときに直ちにコピー（プリント）を実行できる。
【００１５】
請求項５に記載の発明によれば、トリガー信号入力時において、定着ローラの周囲温度が所定の基準温度以下になっている場合の制御動作として、定着ローラを回転させつつ定着ローラを定着温度に加熱する第１の制御態様と、定着ローラを回転させることなく定着ローラを定着温度に加熱する第２の制御態様とが切り替え可能となっているため、ユーザの要望に柔軟に対応することができる。
【発明を実施するための最良の形態】
【００１６】
図１は本発明の一実施形態に係る画像形成装置としてのファクシミリ複合装置の構成を示すブロック図であり、図２は図１のファクリミリ複合装置の上部の外観構成を模式的に示す斜視図である。このファクシミリ複合装置１は、図１及び図２に示すように、周囲温度判定手段及び制御手段としての制御部１１、読取部１２、記録部１３、表示部１４、操作部１５、記憶部１６、モデム１７、ＮＣＵ１８及びネットワーク通信部１９等を備えている。また、このファクシミリ複合装置１の機能には、ファクシミリ機能、コピー機能、スキャナ機能、及びプリンタ機能等が含まれている。
【００１７】
制御部１１は、このファクシミリ複合装置１の制御を統括するものであり、ＣＰＵ等を備えて構成されている。
【００１８】
読取部１２は、原稿の読み取りを行うものであり、ファクシミリ送信時の原稿の読み取りや、スキャナー機能使用時の原稿の読み取り等に用いられる。この読取部１２には、原稿の読み取りを行うフラットベッドスキャナーとしての読取ユニット２１と、原稿をその読取ユニット２１に送る自動原稿送りユニット２２とを備えている。この自動原稿送りユニット２２は、図２の矢印Ａで示すごとく開閉可能となっており、読取ユニット２１の原稿載置面２１ａを覆うカバーとしての役割も担っている。
【００１９】
また、読取部１２には、ユーザにより自動原稿送りユニット２２が開放されたことを検知するための検知スイッチ１２ａ（図３参照）と、自動原稿送りユニット２２の原稿載置台２２ａに原稿が載置されたことを検知するための検知スイッチ１２ｂ（図３参照）とが備えられている。
【００２０】
記録部１３は、現像ユニット３１と定着ユニット３２とを備え、ドキュメントデータを記録材としての記録用紙Ｐ（図３参照）にプリントするようになっている。現像ユニット３１には、図示しない現像ローラが備えられ、この現像ローラを用いて、ドキュメントデータに基づいて形成されたトナー画像（現像剤像）が記録用紙Ｐに転写されるようになっている。
【００２１】
定着ユニット３２は、図３に示すように、記録用紙Ｐに転写されたトナー画像を加熱して定着させる定着ローラ４１と、定着ローラ４１を加熱する加熱手段としてのヒータ４２と、定着ローラ４１の温度を検出するローラ温度検出手段としての温度センサ（例えば、サーミスタ）４３と、定着ローラ４１との間で記録用紙Ｐを加圧状態で挟み込む加圧ローラ４４と、定着ローラ４１を回転駆動するモータ４５とを備えている。なお、本実施形態では、モータ４５で定着ローラ４１を回転駆動するようにしたが、定着ローラ４１と加圧ローラ４４とは互いに押圧された状態で同時に回転するため、モータ４５により加圧ローラの方を回転駆動するようにしてもよい。
【００２２】
ヒータ４２による定着ローラ４１の加熱制御は、温度センサ４３の検出結果等に基づいて制御部１１により行われる。この制御部１１による温度制御の詳細については後述する。また、制御部１１はモータ４５の駆動制御も行うようになっている。
【００２３】
定着ローラ４１は、定着処理の実行時にはヒータ４２により所定の定着温度（例えば、１７５℃）に加熱される。そして、プリント時には、定着ローラ４１が定着温度に加熱された状態で、モータ４５により定着ローラ４１及び加圧ローラ４４が回転駆動され、それらのローラ４１,４４の間にトナー画像が転写された記録用紙Ｐが送り込まれる。記録用紙Ｐが送り込まれると、記録用紙Ｐに転写されたトナー画像が定着ローラ４１により加熱されて記録用紙Ｐに定着される。
【００２４】
一連のプリント処理が終了した後は、原則としてプリント終了時から所定の待機時間が経過するまでは、次回のプリント処理に迅速に対応するため、ヒータ４３が動作され、定着ローラ４１の温度が所定の待機温度（例えば、１２５℃）に維持される。そして、待機時間が経過してこの装置１の動作モードが省エネルギーモードに切り替えられると、ヒータ４２がオフされるようになっている。また、ヒータ４３は、この装置１の電源がオフされた場合や、紙詰まりが生じた場合等にもオフされるようになっている。ヒータ４３がオフされると、定着ローラ４１及びその周辺部の温度は時間経過に伴って室温に向けて低下していく。
【００２５】
表示部１４は、液晶表示装置等によって構成され、このファクシミリ複合装置１の操作情報等の表示に用いられる。入力手段及び選択手段としての操作部１５は、複数の操作ボタンやタッチパネル等によって構成され、このファクシミリ複合装置１の操作に用いられる。例えば、操作部１５には、この装置１の動作モードをコピー、ファクリミリ、スキャナー等の間で切り替えるためのモード選択ボタン（例えば、コピーモードボタン１５ａ（図３参照）が備えられている。
【００２６】
記憶部１６は、半導体メモリ等の記憶装置を備えて構成されている。この記憶部１６の記憶内容としては、スキャナ機能使用時に読み取られたドキュメントデータ、及びこの装置１の設定や保守管理等に関するデータ等が含まれている。
【００２７】
モデム１８は、ファクシミリ通信が可能なファクシミリモデムから構成されている。また、モデム１８は、ＮＣＵ（Network Control Unit）１７と直接的に接続されている。ＮＣＵ１７は、アナログの公衆電話回線網（ＰＳＴＮ）５１との回線の閉結及び開放の動作を行なうハードウェアであり、必要に応じてモデム１８を公衆電話回線網５１と接続する。なお、ＩＳＤＮ用インタフェースを備えることにより、デジタル回線網（ＩＳＤＮ）に接続するようにしてもよい。
【００２８】
ネットワーク通信部１９は、このファクリミリ複合装置１をＬＡＮ、インターネット等を含むネットワーク５２へ接続するためのインタフェースとして機能し、ＬＡＮ又はインターネットを介したデータの送受等を行うようになっている。
【００２９】
次に、図４及び図５のフローチャートを参照して、制御部１１による定着ローラ４１の温度検出処理について説明する。
【００３０】
制御部１１は、温度センサ４３を介して定着ローラ４１の温度を定期的に監視しており、温度センサ４３の検出温度が所定の基準温度以下になると低温フラグを設定（フラグ値を１に設定）するようになっている。この基準温度は、室温よりも高く、かつ、定着温度及び待機温度よりも低い温度（例えば、１００℃）に設定される。
【００３１】
より詳細には、図４に示すように、この装置１の電源がオンされると、ステップＳ１で低温フラグが初期化（フラグ値に０を設定）されて、ステップＳ２に進み、定着ローラ４１の温度検出が行われる。続くステップＳ３で、その検出温度が基準温度（１００℃）以下か否かが判断され、検出温度が基準温度を上回っている場合にはステップＳ２に戻る一方、検出温度が基準温度以下である場合にはステップＳ４に進み、低温フラグが設定（フラグ値に１を設定）された後、ステップＳ２に戻る。
【００３２】
また、制御部１１は、プリント処理が行われるのに伴って低温フラグを初期化（フラグ値に０を設定）するようになっている。すなわち、図５に示すように、ステップＳ１１でプリント処理が開始されるとステップＳ１２に進み、１ページのプリント処理が終了したか否かが判断され、１ページのプリント処理が終了した場合にはステップＳ１３に進み、低温フラグが初期化（フラグ値に０を設定）される。
【００３３】
次に、図６のフローチャートを参照して、制御部１１による定着ローラ４１の加熱制御について説明する。
【００３４】
制御部１１は、加熱開始を示す所定のトリガー信号の入力に応じ、ヒータ４２をオンさせて定着ローラ４１を加熱するようになっている。この場合のトリガー信号としては、プリント指令に伴って与えられる信号の他に、実際にプリント指令が与えられる前に与えられる予備加熱開始のための信号などがある。プリント指令は、操作部１５内のコピースタートボタンの押圧操作時、受信ファクリミリの出力時又はネットワーク５２を介したプリントジョブの受信時などに発せられるものである。また、プリント指令に先立って与えられる予備加熱のための信号としては、例えばコピー開始の所定時間前に発せられ、プリント処理の準備開始トリガーとして有効な信号が採用される。なお、予備加熱が開始されている状態で実際にプリント指令が与えられた場合には、定着ローラ４１に対する加熱が継続して行われるようになっている。
【００３５】
本実施形態では、予備加熱のための信号として、例えば、この装置１の動作モードがコピーモードとなっている状態での検知スイッチ１２ａによる自動原稿送りユニット２２（カバー）の開放の検知信号、同じくこの装置１の動作モードがコピーモードとなっている状態での検知スイッチ１２ｂによる原稿載置台２２ａ上の原稿の検知信号、及び、コピーモードボタン１５ａの操作に伴う信号が用いられる。
【００３６】
また、制御部１１は、トリガー信号の入力に伴って行う定着ローラ４１の加熱制御の内容を、定着ローラ４１の検出温度（具体的には、温度フラグの設定状況）によって切り替えるようになっている。その加熱制御の内容について以下で説明する。
【００３７】
図６に示すように、ステップＳ２１で加熱開始（又は予備加熱開始）のためのトリガー信号が入力されるとステップＳ２２に進み、低温フラグが設定されているか否か（フラグ値が１になっているか否か）が判断され、低温フラグが設定されていない場合（フラグ値が０である場合）にはステップＳ２３に進み、第１の加熱制御が行われる一方、低温フラグが設定されている場合（フラグ値が１である場合）にはステップＳ２４に進み、第２の加熱制御が行われる。
【００３８】
低温フラグが設定されていない場合（ステップＳ２３）におけるの第１の加熱制御では、定着ローラ４１及び加圧ローラ４４を回転させずに停止させた状態で、ヒータ４２をオンさせて定着ローラ４１の温度を定着温度にまで上昇させるようになっている。なお、低温フラグは、定着ローラ４１の検出温度が基準温度以下になった場合に設定され、１頁のプリント処理が行われると初期化されるように成っているため、低温フラグが設定されていない期間というのは、プリント処理に伴って定着ローラ４１及びその周囲の温度が基準温度以上に昇温されてから、時間経過とともに定着ローラ４１及びその周囲の温度が低下して基準温度以下になるまでの期間となる。そして、定着ローラ４１の周囲は、定着ローラ４１よりも熱容量が大きい等の理由により、定着ローラ４１の温度低下速度よりも遅い速度で温度が低下していく傾向にあるため、この低温フラグが設定されていない期間では、定着ローラ４１の温度が基準温度以上あれば、定着ローラ４１の周囲の温度も基準温度以上となっている。このため、このような低温フラグを用いて定着ローラ４１の加熱制御を行うことにより、定着ローラ４１の周囲温度を検出する専用の温度センサを設けなくとも、定着ローラ４１用の温度センサ４３の検出結果を用いて定着ローラ４１の周囲温度に対応した定着ローラ４１の加熱制御を行うことができるようになっている。
【００３９】
そして、このように定着ローラ４１の検出温度が基準温度を上回っている場合には、定着ローラ４１及び加圧ローラ４４を回転させずに定着ローラ４１を加熱しても、温度ムラを抑えつつ定着ローラ４１を加熱できるとともに、定着ローラを回転させないため、熱の拡散等を抑えて定着ローラ４１を迅速に加熱できるようになっている。また、この場合には、定着ローラ４１の周辺部品（例えば、加圧ローラ４４等）も昇温されている状態であるため、定着ローラ４１及び加圧ローラ４４を回転させずに定着ローラ４１を加熱しても、定着ローラ４１と周辺部品との温度差を抑制しつつ、定着ローラ４１を加熱できるようになっている。
【００４０】
低温フラグが設定されている場合（ステップＳ２４）におけるの第２の加熱制御では、定着ローラ４１及びその周辺部品が低温状態にあるため、定着ローラ４１及び加圧ローラ４４を回転させつつ、ヒータ４２をオンさせて定着ローラ４１の温度を定着温度にまで上昇させるようになっている。このように定着ローラ４１及び加圧ローラ４４を回転させつつ定着ローラ４１を加熱することにより、低温状態にある定着ローラ４１の温度分布の均一化、及び定着ローラ４１と低温状態にある周辺部品との温度差を抑制しつつ、定着ローラ４１を加熱できる。
【００４１】
このステップＳ２３又はＳ２４による加熱制御により定着ローラ４１が定着温度にまで昇温されると、プリント指令が与えられた場合には、現像ユニット３１による現像処理に続いて、定着ユニット３２による上述の定着処理が行われる。
【００４２】
以上のように、本実施形態によれば、加熱開始（予備加熱開始を含む）のためのトリガー信号が与えられた際に、低温フラグが設定されておらず、定着ローラ４１の周囲温度が室温よりも高く、かつ定着温度及び待機温度よりも低い所定の基準温度を上回っている場合には、定着ローラ４１及び加圧ローラ４４を回転させずに定着ローラ４１を加熱して定着温度まで昇温する構成であるため、上述の如く、定着ローラ４１の温度ムラ及び定着ローラ４１と周辺部品との温度差を抑制しつつ、定着ローラ４１を迅速に加熱できる。その結果、温度ムラや周辺部品との温度差を抑えつつ定着ローラ４１を迅速に加熱して、プリント指令が与えられてから実際にプリントが行われるまでの時間を短縮できる。
【００４３】
また、定着ローラ４１及び加圧ローラ４４を回転させずに定着ローラ４１の加熱を行うことにより、騒音の抑制が図れるとともに、省電力化及び部品寿命の長寿命化が図れる。
【００４４】
また、上述の如く、低温フラグを用いて定着ローラ４１の加熱制御を行うことにより、定着ローラ４１の周囲温度を検出する専用の温度センサを設けなくとも、定着ローラ４１用の温度センサ４３の検出結果を用いて定着ローラ４１の周囲温度に対応した定着ローラ４１の加熱制御を行うことができる。
【００４５】
また、プリント指令に先立って予備加熱のためのトリガー信号が与えられると、それに応じて定着ローラ４１に対する加熱が開始されるため、実際にプリント指令が与えられたときに直ちにプリントを実行できる。特に、本実施形態では、自動原稿送りユニット２２（カバー）の開放、自動原稿送りユニット２２への原稿のセット、又は、コピーモード選択操作に伴って定着ローラ４１に対する予備加熱が開始されるため、実際にコピー実行のためのコピースタートボタンが操作されたときに直ちにコピー（プリント）を実行できる。
【００４６】
なお、上述の実施形態に係る図５のステップＳ２４における処理に対する変形例として、以下のような構成が考えられる。
【００４７】
すなわち、加熱開始のためのトリガー信号の入力時において、低温フラグが設定されている場合の加熱制御動作として、定着ローラ４１及び加圧ローラ４４を回転させつつヒータ４２をオンさせて定着ローラ４１を定着温度に加熱する第１の制御態様と、定着ローラ４１及び加圧ローラ４４を回転させることなくヒータ４２をオンさせて定着ローラ４１を定着温度に加熱する第２の制御態様とが切り替え可能な構成としてもよい。このような構成にした場合、プリント状態の品質を重要視する場合には第１の制御態様を選択したり、あるいは、プリント処理の迅速性を優先する場合には第２の制御態様を選択したりといった具合に、ユーザの要望に柔軟に対応することができる。なお、第１及び第２の制御態様のいずれの制御態様で加熱制御を行うかは、操作部１５等を介した設定操作により事前に設定されるものとする。
【００４８】
また、本実施形態では定着ローラ４１の温度を検出する温度センサ４３の検出結果等に基づいて設定される低温フラグの設定状態に基づいて定着ローラ４１の周囲の温度状態を判定するようにしたが、低温フラグを用いる代わりに、温度センサ４３の他に定着ローラ４１の周囲温度を検出する専用の温度センサを追加してもよい。
【図面の簡単な説明】
【００４９】
【図１】本発明の一実施形態に係る画像形成装置としてのファクシミリ複合装置の構成を示すブロック図である。
【図２】図１のファクリミリ複合装置の上部の外観構成を模式的に示す斜視図である。
【図３】図１に示す構成の要部をより詳細に示したブロック図である。
【図４】低温フラグが設定される際の処理動作を示すフローチャートである。
【図５】低温フラグが初期化される際の処理動作を示すフローチャートである。
【図６】定着ローラに対する加熱が行われる際の処理動作を示すフローチャートである。
【符号の説明】
【００５０】
１  ファクシミリ複合装置
１１  制御部
１２  読取部
１３  記録部
１４  表示部
１５  操作部
１６  記憶部
１７  ＮＣＵ
１８  モデム
１９  ネットワーク通信部
２１  読取ユニット
２２  自動原稿送りユニット
３１  現像ユニット
３２  定着ユニット
４１  定着ローラ
４２  ヒータ
４３  温度センサ
４４  加圧ローラ
４５  モータ
【図１】
2008129064.tif 000003
【図２】
2008129064.tif 000004
【図３】
2008129064.tif 000005
【図４】
2008129064.tif 000006
【図５】
2008129064.tif 000007
【図６】
2008129064.tif 000008